(57)【要約】【課題】自動の記録及び統合が可能な生理的パラメータ記録システム等を提供する。【解決手段】生理的パラメータ記録システムは、第１の生理的パラメータを生成する第１測定器と、第２の生理的パラメータを生成する第２測定器と、生理的パラメータ記録プログラムをインストールされた記録装置と、クラウドデータベースとを含む。プログラムは、デジタル伝送機能を通じて第１測定器へ接続することで第１の生理的パラメータを読み込むステップと、ユーザ入力インターフェイスによって第２の生理的パラメータを読み込むステップと、第１及び第２の生理的パラメータを表示するステップと、ロック信号に従って、ユーザ入力インターフェイスがロックされた後に、第１及び第２の生理的パラメータを確認し記録するステップと、第１及び第２の生理的パラメータに従ってＱＲコード（登録商標）を生成し表示するステップとを実行するよう構成される。クラウドデータベースは、デジタル伝送機能を通じて記録装置からＱＲコード（登録商標）を受信する。【選択図】図１
2020027601.tif 000002
【特許請求の範囲】
【請求項１】
第１の生理的パラメータを生成し、該第１の生理的パラメータをデジタル伝送機能により送信するよう構成される第１測定器と、
第２の生理的パラメータを生成するよう構成される第２測定器と、
前記第１の生理的パラメータを読み込むよう前記デジタル伝送機能を通じて前記第１測定器へ接続するステップと、ユーザ入力インターフェイスを通じて前記第２の生理的パラメータを読み込むステップと、前記第１の生理的パラメータ及び前記第２の生理的パラメータを表示するステップと、前記ユーザ入力インターフェイスがロックされた後に、ロック信号に従って前記第１の生理的パラメータ及び前記第２の生理的パラメータを確認し記憶するステップと、前記第１の生理的パラメータ及び前記第２の生理的パラメータに従って第１のクイックレスポンスコードを生成し表示するステップとを実行するよう生理的パラメータ記録プログラムをインストールされた記録装置と、
前記第１のクイックレスポンスコードを受信するよう前記デジタル伝送機能を通じて前記記録装置へ接続されるクラウドデータベースと
を有する生理的パラメータ記録システム。
【請求項２】
前記生理的パラメータ記録プログラムは、
第２のクイックレスポンスコード若しくは第１のバーコードをスキャンすることを通じて、又は前記ユーザ入力インターフェイスを通じて、第１のオペレータ識別コードにログオンし表示するステップと、
第３のクイックレスポンスコード若しくは第２のバーコードをスキャンすることを通じて、又は前記ユーザ入力インターフェイスを通じて、第１の対象識別コードにログオンし表示するステップと
を実行するよう前記記録装置を制御する、
請求項１に記載の生理的パラメータ記録システム。
【請求項３】
前記生理的パラメータ記録プログラムは、
新しい対象にログオンする必要があると決定するときに、第４のクイックレスポンスコード若しくは第３のバーコードをスキャンすることを通じて、又は前記ユーザ入力インターフェイスを通じて、第２の対象識別コードにログオンし表示するステップと、
前記新しい対象にログオンする必要がないと決定するときに、新しいオペレータにログオンすべきかどうかを判定するステップと
を実行するよう前記記録装置を制御し、
前記新しいオペレータにログオンすべきかどうかを判定するステップは、
前記新しいオペレータにログオンする必要があると決定するときに、第５のクイックレスポンスコード若しくは第４のバーコードをスキャンすることを通じて、又は前記ユーザ入力インターフェイスを通じて、第２のオペレータ識別コードにログオンし表示することと、
前記新しいオペレータにログオンする必要がないと決定するときに、前記生理的パラメータ記録プログラムを終了することと
を有する、
請求項１に記載の生理的パラメータ記録システム。
【請求項４】
前記記録装置は、ＷｉＦｉ、Ｂｌｕｅｔｏｏｔｈ（登録商標）又は近距離通信である前記デジタル伝送機能を通じて前記第１測定器へ接続し、
前記クラウドデータベースは、ＷｉＦｉ、第３世代無線通信、第４世代無線通信、ロングタームエボリューション、Ｂｌｕｅｔｏｏｔｈ（登録商標）又は近距離通信である前記デジタル伝送機能を通じて前記記録装置へ接続する、
請求項１に記載の生理的パラメータ記録システム。
【請求項５】
前記第１測定器及び前記第２測定器の夫々は、温度計、血圧計、パルスオキシメータ、血糖計、バイタルサインモニタ、体重計のうちの１つであり、
前記第１の生理的パラメータ及び前記第２の生理的パラメータの夫々は、身長、体重、頭囲、頸囲、胸囲、胴囲、腰囲、心拍、収縮期血圧、拡張期血圧、血中酸素濃度、血糖、体温、呼吸数、疼痛指数、尿量、及び排便回数のうちの１つである、
請求項１に記載の生理的パラメータ記録システム。
【請求項６】
生理的パラメータ記録システムの記録装置のための生理的パラメータ記録方法であって、
前記記録装置が、デジタル伝送機能を通じて、前記生理的パラメータ記録システムの第１測定器が生成する第１の生理的パラメータを読み込むよう前記第１測定器へ接続することと、
前記記録装置が、ユーザ入力インターフェイスを通じて、前記生理的パラメータ記録システムの第２測定器によって生成された第２の生理的パラメータを読み込むことと、
前記記録装置が、前記第１の生理的パラメータ及び前記第２の生理的パラメータを表示することと、
前記ユーザ入力インターフェイスがロックされた後に、前記記録装置が、ロック信号に従って前記第１の生理的パラメータ及び前記第２の生理的パラメータを確認し記憶することと、
前記記録装置が、前記第１の生理的パラメータ及び前記第２の生理的パラメータに従って第１のクイックレスポンスコードを生成し表示することと、
前記記録装置が、前記デジタル伝送機能を通じて、前記第１のクイックレスポンスコードを送信するよう前記生理的パラメータ記録システムのクラウドデータベースへ接続することと
を有する生理的パラメータ記録方法。
【請求項７】
前記記録装置が、第２のクイックレスポンスコード若しくは第１のバーコードをスキャンすることを通じて、又は前記ユーザ入力インターフェイスを通じて、第１のオペレータ識別コードにログオンし表示することと、
前記記録装置が、第３のクイックレスポンスコード若しくは第２のバーコードをスキャンすることを通じて、又は前記ユーザ入力インターフェイスを通じて、第１の対象識別コードにログオンし表示することと
を更に有する請求項６に記載の生理的パラメータ記録方法。
【請求項８】
新しい対象にログオンする必要があると決定するときに、第４のクイックレスポンスコード若しくは第３のバーコードをスキャンすることを通じて、又は前記ユーザ入力インターフェイスを通じて、第２の対象識別コードにログオンし表示することと、
前記新しい対象にログオンする必要がないと決定するときに、新しいオペレータにログオンすべきかどうかを判定することと
を更に有し、
前記新しいオペレータにログオンすべきかどうかを判定することは、
前記新しいオペレータにログオンする必要があると決定するときに、第５のクイックレスポンスコード若しくは第４のバーコードをスキャンすることを通じて、又は前記ユーザ入力インターフェイスを通じて、第２のオペレータ識別コードにログオンし表示することと、
前記新しいオペレータにログオンする必要がないと決定するときに、当該生理的パラメータ記録方法を終了することと
を有する、
請求項６に記載の生理的パラメータ記録方法。
【請求項９】
前記記録装置は、ＷｉＦｉ、Ｂｌｕｅｔｏｏｔｈ（登録商標）又は近距離通信である前記デジタル伝送機能を通じて前記第１測定器へ接続し、
前記クラウドデータベースは、ＷｉＦｉ、第３世代無線通信、第４世代無線通信、ロングタームエボリューション、Ｂｌｕｅｔｏｏｔｈ（登録商標）又は近距離通信である前記デジタル伝送機能を通じて前記記録装置へ接続する、
請求項６に記載の生理的パラメータ記録方法。
【請求項１０】
前記第１測定器及び前記第２測定器の夫々は、温度計、血圧計、パルスオキシメータ、血糖計、バイタルサインモニタ、体重計のうちの１つであり、
前記第１の生理的パラメータ及び前記第２の生理的パラメータの夫々は、身長、体重、頭囲、頸囲、胸囲、胴囲、腰囲、心拍、収縮期血圧、拡張期血圧、血中酸素濃度、血糖、体温、呼吸数、疼痛指数、尿量、及び排便回数のうちの１つである、
請求項６に記載の生理的パラメータ記録方法。
【発明の詳細な説明】
【技術分野】
【０００１】
本発明は、記録システム及びその方法に関係があり、より具体的には、生理的パラメータ記録システム及びその方法に関係がある。
【背景技術】
【０００２】
生理的パラメータを記録する方法に関して、それは大部分が手動による転写及びファイリングによって行われている。例えば、病院の医師及び看護師並びにヘルスケアセンタの介護士は、患者の生理的パラメータ（例えば、体温、血圧、心拍、呼吸数、血中酸素濃度、グルコース、など）を測定したり、あるいは、患者の活動及び感覚（例えば、睡眠時間、排便回数、疼痛指数、など）を問い合わせたりするために、医療機器を利用することがある。次いで、測定された生理的パラメータ、活動及び感覚は、電子データベースに入力すべく用紙に書き込まれる。
【０００３】
しかし、上記のルーチンは、時間を無駄に使い、且つ、手動作業により医療記録の誤字を引き起こす可能性がある。従って、利便性及び正確性を改善するよう、自動の記録及び統合が可能な生理的パラメータ記録システム及びその方法を提供することが必要とされる。
【発明の概要】
【０００４】
従って、本発明の目的は、自動の記録及び統合が可能な生理的パラメータ記録システム及びその方法を提供することである。
【０００５】
本発明は、第１の生理的パラメータを生成し、該第１の生理的パラメータをデジタル伝送機能により送信するよう構成される第１測定器と；第２の生理的パラメータを生成するよう構成される第２測定器と；前記第１の生理的パラメータを読み込むよう前記デジタル伝送機能を通じて前記第１測定器へ接続するステップと、ユーザ入力インターフェイスを通じて前記第２の生理的パラメータを読み込むステップと、前記第１の生理的パラメータ及び前記第２の生理的パラメータを表示するステップと、前記ユーザ入力インターフェイスがロックされた後に、ロック信号に従って前記第１の生理的パラメータ及び前記第２の生理的パラメータを確認し記憶するステップと、前記第１の生理的パラメータ及び前記第２の生理的パラメータに従って第１のクイックレスポンスコードを生成し表示するステップとを実行するよう生理的パラメータ記録プログラムをインストールされた記録装置と；前記第１のクイックレスポンスコードを受信するよう前記デジタル伝送機能を通じて前記記録装置へ接続されるクラウドデータベースとを含む生理的パラメータ記録システムを開示する。
【０００６】
本発明は、生理的パラメータ記録システムの記録装置のための生理的パラメータ記録方法であって：前記記録装置が、デジタル伝送機能を通じて、前記生理的パラメータ記録システムの第１測定器が生成する第１の生理的パラメータを読み込むよう前記第１測定器へ接続することと；前記記録装置が、ユーザ入力インターフェイスを通じて、前記生理的パラメータ記録システムの第２測定器によって生成された第２の生理的パラメータを読み込むことと；前記記録装置が、前記第１の生理的パラメータ及び前記第２の生理的パラメータを表示することと；前記ユーザ入力インターフェイスがロックされた後に、前記記録装置が、ロック信号に従って前記第１の生理的パラメータ及び前記第２の生理的パラメータを確認し記憶することと；前記記録装置が、前記第１の生理的パラメータ及び前記第２の生理的パラメータに従って第１のクイックレスポンスコードを生成し表示することと；前記記録装置が、前記デジタル伝送機能を通じて、前記第１のクイックレスポンスコードを送信するよう前記生理的パラメータ記録システムのクラウドデータベースへ接続することとを含む生理的パラメータ記録方法を開示する。
【０００７】
本発明の生理的パラメータ記録システムにおいて、記録装置は、複数の生理的パラメータを自動で取得する（又は、オペレータによって生理的パラメータを手動で入力する）よう無線接続を通じて複数の測定器１０へ接続し、次いで、記憶された生理的パラメータに従って対応するＱＲコード（登録商標）を生成し、最終的に、ＱＲコード（登録商標）（すなわち、複数の生理的パラメータ）を無線ネットワークを通じてクラウドデータベースへアップロードし得る。結果として、本発明の生理的パラメータ記録システムは、複数の生理的パラメータに対する自動の記録及び統合を実現するために、手動による転写及びファイリングを減らして、誤記の可能性を小さくし得る。
【０００８】
本発明のそれら及び他の目的は、様々な図及び図面において表される好適な実施形態の以下の詳細な説明を読んだ後で疑いなく当業者に明らかになるだろう。
【図面の簡単な説明】
【０００９】
【図１】本発明の実施形態に従う生理的パラメータ記録システムの概略図である。
【図２】本発明の実施形態に従う生理的パラメータ記録プロセスのフローチャートである。
【図３】本発明の実施形態に従う記録装置の動作を表す。
【図４】本発明の実施形態に従う記録装置の動作を表す。
【図５】本発明の実施形態に従う記録装置の動作を表す。
【図６】本発明の実施形態に従う記録装置の動作を表す。
【図７】本発明の実施形態に従う記録装置の動作を表す。
【図８】本発明の実施形態に従う記録装置の動作を表す。
【図９】本発明の実施形態に従う記録装置の動作を表す。
【図１０】本発明の実施形態に従う記録装置の動作を表す。
【発明を実施するための形態】
【００１０】
図１は、本発明の実施形態に従う生理的パラメータ記録システム１の概略図である。生理的パラメータ記録システム１は、生理的パラメータの測定及び記録を必要とする如何なる組織及び機関、例えば：
（１）病院、診療所、病棟の検査室；
（２）ヘルスケア機関、長期介護センタ；
（３）医学研究学校及び機関；
（４）ヘルスケア、美容院、リハビリテーションセンタ；
（５）セミナー、研究及び会議集会；
（６）在宅介護
においても利用されてよい。
【００１１】
生理的パラメータ記録システム１は、複数の測定器１０と、記録装置１２と、クラウドデータベース１４とを含む。測定器１０は、温度計、血圧計、パルスオキシメータ、血糖計、バイタルサインモニタ、体重計、などのような、生理的パラメータを測定するための医療機器であってよい。記録装置１２は、無線通信機能（例えば、ＷｉＦｉ、第３世代無線通信、第４世代無線通信、ロングタームエボリューション、Ｂｌｕｅｔｏｏｔｈ（登録商標）、近距離通信、など）を備えた、スマートフォン又はタブレットコンピュータのようなモバイル機器であって、ユーザがインターネットからアプリケーションをダウンロードしインストールし且つモバイル機器のタッチスクリーン上で操作を行うことを可能にし得る。クラウドデータベース１４は、医療情報統合システムであってよい。
【００１２】
生理的パラメータ記録システム１は、オペレータＰ１２が複数の対象Ｐ１０について夫々生理的パラメータを記録することを支援するよう構成される。オペレータＰ１２は、医師、看護師、又は介護福祉士であってよく、対象Ｐ１０は、患者又は一般の人々であってよい。生理的パラメータは、身長、体重、頭囲、頸囲、胸囲、胴囲、腰囲、心拍、収縮期血圧、拡張期血圧、血中酸素濃度、血糖、体温、呼吸数、疼痛指数、尿量、及び排便回数であってよいが、これは限定されない。
【００１３】
具体的に、記録装置１２は、複数の測定器１０へ接続してよく、オペレータＰ１２は、対象Ｐ１０の生理的パラメータを取得するよう測定器１０を操作してよい。次いで、測定器１０のデジタル伝送機能（例えば、Ｂｌｕｅｔｏｏｔｈ（登録商標）、近距離通信（near  field  communication）、ＷｉＦｉ、など）を通じて、記録装置１２は、測定器１０によって測定された生理的パラメータを収集してよい。測定器１０がデジタル伝送機能を備えていない場合に、オペレータＰ１２は、測定器１０によって測定された生理的パラメータを、ユーザ入力インターフェイス（例えば、キーボード）を通じて記録装置１２へ入力してもよい。生理的パラメータの全ての測定が完了した場合に、記録装置１２は、ユーザ入力インターフェイスがロックされた後に、ロック信号に従って、全ての生理的パラメータを確認し記憶し、そして、対応するＱＲ（クイックレスポンス；Quick  Response）コードを生成してよい。結果として、記録装置１２は、生理的パラメータをクラウドデータベース１４に記憶するために、ＱＲコード（登録商標）を通じて対象Ｐ１０の個人健康ファイル又はウェブページ記録に生理的パラメータをインポートし得る。
【００１４】
要するに、生理的パラメータ記録システム１において、記録装置１２は、複数の生理的パラメータを自動で取得する（又は、オペレータによって生理的パラメータを手動で入力する）よう複数の測定器１０へ接続し、次いで、記憶された生理的パラメータに従って対応するＱＲコード（登録商標）を生成し、最終的に、ＱＲコード（登録商標）（すなわち、複数の生理的パラメータ）を無線ネットワークを通じてクラウドデータベース１４へアップロードし得る。結果として、本発明の生理的パラメータ記録システム１は、複数の生理的パラメータに対する自動の記録及び統合を実現するために、手動による転写及びファイリングを減らして、誤記の可能性を小さくし得る。
【００１５】
図２は、本発明の実施形態に従う生理的パラメータ記録プロセス２のフローチャートであり、図３乃至図１０は、本発明の実施形態に従う記録装置１２の動作を表す。オペレータＰ１２は、複数の生理的パラメータに対する自動の記録及び統合を実現するために、生理的パラメータ記録プロセス２のステップに従ってアプリケーションを実行することによって、記録装置１２を操作してよい。生理的パラメータ記録プロセス２は、次のステップを含む。
【００１６】
ステップ２０１：複数の測定器へ接続するよう最初の使用のために構成をセットする。
【００１７】
ステップ２０２：生理的パラメータ記録プログラムを実行する。
【００１８】
ステップ２０３：オペレータ識別コードにログオンする。
【００１９】
ステップ２０４：対象識別コードにログオンする。
【００２０】
ステップ２０５：測定器へ接続されているかどうか？そうである場合にはステップ２０６へ進み、そうでない場合にはステップ２０７へ進む。
【００２１】
ステップ２０６：測定器によって測定された生理的パラメータを読み込んで表示する。ステップ２０８へ進む。
【００２２】
ステップ２０７：デジタル伝送機能によらずに、測定器によって測定された生理的パラメータを手動入力し、表示する。
【００２３】
ステップ２０８：ユーザ入力インターフェイスがロックされた後に、ロック信号に従って、全ての生理的パラメータを確認し記憶する。
【００２４】
ステップ２０９：全ての生理的パラメータに対応するＱＲコード（登録商標）を生成し、全ての生理的パラメータをクラウドデータベースにアップロードする。
【００２５】
ステップ２１０：新しい対象にログオンすべきかどうかを判定する。そうである場合にはステップ２０４に戻り、そうでない場合にはステップ２１１へ進む。
【００２６】
ステップ２１１：新しいオペレータにログオンすべきかどうかを判定する。そうである場合にはステップ２０３に戻り、そうでない場合にはステップ２１２へ進む。
【００２７】
ステップ２１２：生理的パラメータ記録プログラムを終了する。
【００２８】
ステップ２０１において、オペレータＰ１２は、複数の測定器へ接続するよう最初の使用のために構成をセットし、例えば、複数の測定器１０へ接続するよう記録装置１２の無線通信機能（例えば、ＷｉＦｉ、近距離通信、Ｂｌｕｅｔｏｏｔｈ（登録商標））をオンし、生理的パラメータ記録プログラムをダウンロードしインストールしてよい。ステップ２０２において、図３で示されるように、オペレータＰ１２は、生理的パラメータ記録プログラムＶＳ−１０を実行するよう生理的パラメータ記録プログラムＶＳ−１０をダウンロードしインストールしてよい。
【００２９】
ステップ２０３において、オペレータＰ１２は、図４で示されるように、ＱＲコード（登録商標）若しくはバーコードをスキャンすることを通じて、又は手動入力を通じて、オペレータ識別コードにログオンし表示してよい。図４には、オペレータ識別コード“００８７５８２４”及びオペレータ名“Ｌｕ，○○”が表されている。ステップ２０４において、オペレータＰ１２は、図４で示されるように、ＱＲコード（登録商標）若しくはバーコードをスキャンすることを通じて、又は手動入力を通じて、対象識別コードにログオンし表示してよい。図４には、対象識別コード“００００５５２１”及び対象名“Ｃｈａｎｇ，○○”が表されている。オペレータ識別コード及び対象識別コードにログオンするようＱＲコード（登録商標）又はバーコードをスキャンすることは、誤字を回避し且つ記録プロセスを加速させ得る点に留意されたい。
【００３０】
ステップ２０５からステップ２０６において、記録装置１２が測定器１０へ接続されている場合に、記録装置１２は、測定器１０によって測定された生理的パラメータを読み込んで表示してよい。図４で示されるように、記録装置１２は、体温“３６．９℃”を測定するよう額式体温計又は耳式体温計へ接続してよい。記録装置１２は、心拍“８０回／分”、収縮期血圧“１０７ｍｍ／Ｈｇ”、及び拡張期血圧“６４ｍｍ／Ｈｇ”を測定するようバイタルサインモニタへ接続してよい。記録装置１２は、“９９％”である血中酸素濃度を測定するようパルスオキシメータへ接続してよい。
【００３１】
ステップ２０５からステップ２０７において、記録装置１２が測定器１０へ接続することができない場合に、オペレータＰ１２は、対象Ｐ１０に対する測定を手動で実行し、そして、測定器１０によって測定された生理的パラメータをデジタル伝送機能によらずに記録装置１２へ手動で入力してよい。図５で示されるように、オペレータＰ１２は、対象Ｐ１０に対して測定を実行するよう巻き尺を使用し、そして、対象Ｐ１０の頸囲“３６ｃｍ”、胴囲“８０ｃｍ”、及び胸囲“９２ｃｍ”を記録装置１２へユーザ入力インターフェイス（例えば、キーボード）を通じて入力してよい。すなわち、記録装置１２は、ユーザ入力インターフェイスを通じて生理的パラメータを読み込んでよい。
【００３２】
図６で示されるように、オペレータＰ１２は、対象Ｐ１０の疼痛指数をクエリし、記録装置１２のポップアップウィンドウから疼痛指数“レベル１”を選択してよい。１つの実施形態において、図６で示されるように、記録装置１２は、入力された生理的パラメータをロックするよう構成された“ロック”選択を表示してよく、これにより、誤操作による誤記が回避され得る。図７で示されるように、記憶された生理的パラメータがロックされる場合に、オペレータＰ１２は、記録装置１２によって表示されている“解除”選択を選択し、次いで、再び測定を実行して生理的パラメータを変更してよい。
【００３３】
ステップ２０８において、全ての生理的パラメータが正確であるとオペレータＰ１２が確認した場合に、オペレータＰ１２は、単独の対象Ｐ１０のための生理的パラメータを記録するサイクルを終えるために、“ロック”選択がユーザ入力インターフェイスをロックすべく選択された後に、全ての生理的パラメータを記憶するよう“確認”選択を選択してよい。すなわち、記録装置１２は、ユーザ入力インターフェイスがロックされた後に、ロック信号に従って、全ての生理的パラメータを確認し記憶してよい。
【００３４】
図８で示されるように、測定を終えた後、記録装置１２は、生理的パラメータの記録をスクリーンに表示してよい。１つの実施形態において、オペレータＰ１２は、柔軟性を改善するよう、実際の要件に従って、“選択された項目をアップロード”選択又は“全ての項目をアップロード”選択を選択してよい。その上、記録装置１２は、記録されたデータ（すなわち、生理的パラメータ）を記憶し、次いで、インターネットを通じてデータをアップロードし得るので、記録されたデータは、一時的なネットワーク障害による不良ネットワーク環境から保護され得る。
【００３５】
ステップ２０９において、図９で示されるように、記録装置１２は、生理的パラメータをクラウドデータベースにアップロードするよう、生理的パラメータに対応するＱＲコード（登録商標）を生成してよい。１つの実施形態において、記録装置１２は、生理的パラメータ（又はＱＲコード（登録商標））の記録タイムスタンプ及びアップロードタイムスタンプを記録してよく、これは、対象Ｐ１０の生理的パラメータを管理するオペレータＰ１２にとって有利である。実際に、オペレータＰ１２が作業台に戻ったときに、オペレータＰ１２は、記録されたデータをクラウドデータベース（例えば、病院情報システム）において統合し、そして、手動転写のための追加の時間を回避するために、対象Ｐ１０の識別コード（例えば、２次元バーコード）及び生理的パラメータに対応するＱＲコード（登録商標）をスキャンしてよい。
【００３６】
ステップ２１０において、新しい対象にログオンする必要がある場合に、オペレータＰ１２は、ステップ２０４からステップ２０９を再び実行するよう、ＱＲコード（登録商標）若しくはバーコードをスキャンすることを通じて、又は手動入力法を通じて、対象識別コードにログオンしてよい。ステップ２１１において、新しいオペレータにログオンする必要がある場合に、その新しいオペレータＰ１２は、ステップ２０３からステップ２０９を実行するよう、ＱＲコード（登録商標）若しくはバーコードをスキャンすることを通じて、又は手動入力法を通じて、新しいオペレータ識別コードにログオンしてよい。ステップ２１２において、図１０で示されるように、新しい対象及び新しいオペレータにログオンする必要がない場合には、生理的パラメータ記録プログラムは、生理的パラメータ記録プロセス２を終わらせるよう終了される。
【００３７】
総括して言えば、本発明の生理的パラメータ記録システムにおいて、記録装置は、複数の生理的パラメータを自動で取得する（又は、オペレータによって生理的パラメータを手動で入力する）よう無線接続を通じて複数の測定器１０へ接続し、次いで、記憶された生理的パラメータに従って対応するＱＲコード（登録商標）を生成し、最終的に、ＱＲコード（登録商標）（すなわち、複数の生理的パラメータ）を無線ネットワークを通じてクラウドデータベースへアップロードし得る。結果として、本発明の生理的パラメータ記録システムは、複数の生理的パラメータに対する自動の記録及び統合を実現するために、手動による転写及びファイリングを減らして、誤記の可能性を小さくし得る。
【００３８】
当業者は、装置及び方法の多数の変更及び代替が、本発明の教示を保ちながら行われ得ると容易に気付くだろう。然るに、上記の開示は、添付の特許請求の範囲の境界によってのみ制限されると解釈されるべきである。
【符号の説明】
【００３９】
１          生理的パラメータ記録システム
１０        測定器
１２        記録装置
１４        クラウドデータベース
Ｐ１０      対象
Ｐ１２      オペレータ
ＶＳ−１０  生理的パラメータ記録プログラム
【図１】
2020027601.tif 000003
【図２】
2020027601.tif 000004
【図３】
2020027601.tif 000005
【図４】
2020027601.tif 000006
【図５】
2020027601.tif 000007
【図６】
2020027601.tif 000008
【図７】
2020027601.tif 000009
【図８】
2020027601.tif 000010
【図９】
2020027601.tif 000011
【図１０】
2020027601.tif 000012